(57)【要約】      （修正有）【課題】使用する際や収納する際の操作性に優れ、蓋をした状態であっても、調理容器の中の内容物を確認しやすい調理容器の蓋を提供する。【解決手段】調理容器の上面開口を開閉自在に閉塞する円形状の蓋本体１０と、この蓋本体１０に固定された両持ちタイプの把手２０とから構成されている。蓋本体１０は、アルミ板等の金属板によって形成された、中央部に円形開口部１１ａを有する環状の金属成型部１１と、この金属成型部１１の円形開口部１１ａにガラス板を嵌着することによって形成された透明なガラス窓１２とを有している。把手２０は、ガラス窓１２を跨ぐように、両端部２１、２２が蓋本体１０の金属成型部１１における湾曲した内側部分１１ｃにネジ止めされており、幅狭に形成された一方の端部２１には、先端側が蓋本体１０の径方向外側に張り出さない状態で蓋本体１０に対して接近離反する開閉部材３０が開閉可能に支持されている。【選択図】図７
0003230781.tif 000002
【実用新案登録請求の範囲】
【請求項１】
調理容器の上面開口を開閉自在に閉塞する、中央部に透明なガラス窓を有する金属製の蓋本体と、
前記ガラス窓を跨ぐように、両端部が前記蓋本体の金属部分に固定された把手と、
先端側が前記蓋本体の径方向外側に張り出さない状態で蓋本体に対して接近離反するように、前記把手の一方の固定端側に開閉可能に支持された開閉部材と
を備え、
前記開閉部材は、その先端部が前記蓋本体から離反した開状態で前記蓋本体を起立姿勢に支持することを特徴とする調理容器の蓋。
【考案の詳細な説明】
【技術分野】
【０００１】
この考案は、フライパン、鍋等の調理容器の蓋に関する。
【背景技術】
【０００２】
この種の調理容器の蓋としては、例えば、図１１に示すようなものがある。この蓋５０は、同図に示すように、調理容器の上面開口を開閉自在に閉塞する、中央部に透明なガラス窓５２を有する金属製の蓋本体５１と、蓋本体５１のガラス窓５２に固定された基端部から斜め上に向かって蓋本体５１の径方向に伸び出す片持ちタイプの把手５３とを備えており、図１２に示すように、把手５３が支持脚として、蓋本体５１を起立姿勢に支持することができるようになっている。
【０００３】
ところで、上述したような蓋５０では、把手５３が蓋本体５１のガラス窓５２に固定された基端部から斜め上に向かって蓋本体５１の径方向に伸び出しているので、嵩張って効率よく収納することができないといった問題がある。
【０００４】
こういった問題を解決するため、例えば、図１３及び図１４に示すような蓋６０が提案されている（特許文献１参照）。この蓋６０は、同図に示すように、斜め上に向かって蓋本体６１の径方向に伸び出す片持ちタイプの把手６３を、蓋本体６１のガラス窓６２に固定した取付用座６４を介して反転可能に取り付け、調理する際は、図１３に示すように、把手６３を起こした状態で蓋６０を使用し、収納時には、図１４に示すように、把手６３を反転させて、把手６３を蓋本体６１に沿わせることで、収納性を向上させている。
【先行技術文献】
【特許文献】
【０００５】
【特許文献１】実用新案登録第３１２５０７４号公報
【考案の概要】
【考案が解決しようとする課題】
【０００６】
しかしながら、上述したような蓋６０は、使用する際や収納する際に、その都度、把手６３を大きく反転させなければならず、操作性が悪いと共に、蓋６０によって調理容器の上面開口を閉塞した状態で調理を行う際、蓋本体６１のガラス窓６２に取り付けられている把手６３（取付用座６４）の存在によって、ガラス窓６２を通して調理容器の中の内容物の状態を確認しづらいといった問題がある。
【０００７】
そこで、この考案の課題は、使用する際や収納する際の操作性に優れ、蓋をした状態であっても、調理容器の中の内容物を確認しやすい調理容器の蓋を提供するものである。
【課題を解決するための手段】
【０００８】
上記の課題を解決するため、請求項１に係る考案は、調理容器の上面開口を開閉自在に閉塞する、中央部に透明なガラス窓を有する金属製の蓋本体と、前記ガラス窓を跨ぐように、両端部が前記蓋本体の金属部分に固定された把手と、先端側が前記蓋本体の径方向外側に張り出さない状態で蓋本体に対して接近離反するように、前記把手の一方の固定端側に開閉可能に支持された開閉部材とを備え、前記開閉部材は、その先端部が前記蓋本体から離反した開状態で前記蓋本体を起立姿勢に支持することを特徴とする調理容器の蓋を提供するものである。
【考案の効果】
【０００９】
以上のように、請求項１に係る考案の調理容器の蓋は、把手の一方の固定端側に開閉可能に開閉部材が支持されているので、蓋を起立させる際に開閉部材を開き、蓋を収納する際は開閉部材を閉じるだけで良いので、使用する際や収納する際に、その都度、把手を大きく反転させなければならない従来の蓋に比べて操作性に優れている。
【００１０】
また、この蓋の把手は、ガラス窓を跨ぐように、両端部が蓋本体の金属部分に固定されているので、蓋本体のガラス窓に把手が取り付けられている従来の蓋に比べて、調理容器の中の内容物を確認しやすいという効果がある。
【図面の簡単な説明】
【００１１】
【図１】この考案に係る調理容器の蓋の一実施形態を示す平面図である。
【図２】同上の蓋を示す側面図である。
【図３】同上の蓋を示す背面図である。
【図４】図１のＸ−Ｘ線に沿った断面図である。
【図５】（ａ）は同上の蓋を構成している把手を示す平面図、（ｂ）は同上の把手を示す側面図である。
【図６】（ａ）は同上の蓋を構成している開閉部材を示す平面図、（ｂ）は同上の開閉部材を示す正面図、（ｃ）は（ａ）のＸ−Ｘ線に沿った断面図である。
【図７】同上の蓋の開閉部材を開いた状態を示す平面図である。
【図８】同上の蓋の開閉部材を開いた状態を示す側面図である。
【図９】同上の蓋の開閉部材を開いた状態を示す背面図である。
【図１０】同上の蓋を起立させた状態を示す側面図である。
【図１１】従来の蓋を示す斜視図である。
【図１２】同上の蓋を起立させた状態を示す斜視図である。
【図１３】従来の他の蓋を起立させた状態を示す斜視図である。
【図１４】同上の蓋の把手を反転させた状態を示す斜視図である。
【考案を実施するための形態】
【００１２】
以下、実施の形態について図面を参照して説明する。図１〜図４に示す調理容器の蓋１は、サイズの異なる複数種類の調理容器に対応可能な兼用蓋であり、調理容器の上面開口を開閉自在に閉塞する円形状の蓋本体１０と、この蓋本体１０に固定された両持ちタイプの把手２０とから構成されている。
【００１３】
前記蓋本体１０は、同図に示すように、アルミ板等の金属板によって形成された、中央部に円形開口部１１ａを有する環状の金属成型部１１と、この金属成型部１１の円形開口部１１ａにガラス板を嵌着することによって形成された透明なガラス窓１２とを有している。
【００１４】
前記金属成型部１１は、外側部分１１ｂが径方向外側に向かって段階的に高くなっていると共に、内側部分１１ｃが径方向内側に向かって上方に突出するように湾曲しながら連続的に高くなっており、円形開口部１１ａを形成している内側部分１１ｃの内縁には、ガラス窓１２を形成するガラス板が嵌合する凹部が全周にわたって形成されている。
【００１５】
前記把手２０は、図１〜図５に示すように、ガラス窓１２を跨ぐように、両端部２１、２２が蓋本体１０の金属成型部１１における湾曲した内側部分１１ｃにネジ止めされており、幅狭に形成された一方の端部２１には、先端側が蓋本体１０の径方向外側に張り出さない状態で蓋本体１０に対して接近離反する開閉部材３０が支持されている。
【００１６】
前記開閉部材３０は、先端側に向かって幅が広がった略台形状の本体部３１と、この本体部３１の基端部に連設された、把手２０の幅狭に形成された一方の端部２１を挟み込む一対の張出片３２とを有している。
【００１７】
前記把手２０の幅狭に形成された一方の端部２１の両側面には、図５に示すように、凹部２３と、凹部２３を中心とした同心円上に一対の窪み部２４、２５とがそれぞれ形成されていると共に、開閉部材３０の一対の張出片３２の内面には、図６に示すように、把手２０の凹部２３に回転可能に嵌合する凸部３３と、把手２０の窪み部２４、２５に嵌合可能な突起３４とがそれぞれ形成されており、把手２０の凹部２３に回転可能に嵌合した開閉部材３０の凸部３３が開閉軸として機能すると共に、開閉部材３０の突起３４が把手２０の窪み部２４に嵌合することで、開閉部材３０が図１〜図３に示す閉位置に位置決めされ、開閉部材３０の突起３４が把手２０の窪み部２５に嵌合することで、図７〜図９に示す開閉部材３０が開位置に位置決めされるようになっている。
【００１８】
以上のように構成された調理容器の蓋１は、図７〜図９に示すように、開閉部材３０を開位置に位置決めした状態では、図１０に示すように、蓋本体１０を起立姿勢に支持することができ、図１〜図３に示すように、開閉部材３０を閉位置に位置決めした状態では、開閉部材３０が蓋本体１０の金属成型部１１から上方に張り出すことがなく、金属成型部１１の上面に沿うようになっているので、効率よく収納することができる。
【００１９】
また、この蓋１は、図１〜図３及び図７〜図９に示すように、開閉部材３０を閉位置及び開位置のいずれに位置決めした状態であっても、把手２０を掴むことができるので、図１４に示すように、収納時に把手を反転させた状態では、把手を掴むことができないため、使用時には、把手を掴むことができるように、把手を反転させなければならない従来の蓋に比べて、使い勝手が良い。
【００２０】
また、この蓋１は、先端部が蓋本体１０に対して接近離反するように、把手２０の幅狭に形成された一方の端部２１に開閉部材３０が開閉可能に支持されており、蓋１を起立させる際に開閉部材３０を開き、蓋１を収納する際は開閉部材３０を閉じるだけで良いので、使用する際や収納する際に、その都度、把手を大きく反転させなければならない従来の蓋に比べて操作性に優れている。
【００２１】
また、この蓋１の把手２０は、ガラス窓１２を跨ぐように、両端部が蓋本体１０の金属成型部１１に固定されているので、蓋本体のガラス窓に把手が取り付けられている従来の蓋に比べて、調理容器の中の内容物を確認しやすいという利点がある。
【産業上の利用可能性】
【００２２】
本考案は、フライパンや鍋等の調理容器の蓋に利用することができる。
【符号の説明】
【００２３】
１  調理容器の蓋
１０  蓋本体
１１  金属成型部
１１ａ  円形開口部
１１ｂ  外側部分
１１ｃ  内側部分
１２  ガラス窓
２０  把手
２１、２２  端部
２３  凹部
２４、２５  窪み部
３０  開閉部材
３１  本体部
３２  張出片
３３  凸部
３４  突起
【図１】
0003230781.tif 000003
【図２】
0003230781.tif 000004
【図３】
0003230781.tif 000005
【図４】
0003230781.tif 000006
【図５】
0003230781.tif 000007
【図６】
0003230781.tif 000008
【図７】
0003230781.tif 000009
【図８】
0003230781.tif 000010
【図９】
0003230781.tif 000011
【図１０】
0003230781.tif 000012
【図１１】
0003230781.tif 000013
【図１２】
0003230781.tif 000014
【図１３】
0003230781.tif 000015
【図１４】
0003230781.tif 000016